(57)【要約】【課題】  子どもとのコミュニケーションの機会を増加させる。【解決手段】居室２と台所３とが連続するように隣接した住宅１である。居室２は、台所３の床面と面一な床部２１と、床部２１よりも高い床面を有し、前記台所３に隣接する位置に設けられた高床部２２とを備えている。台所３の作業台３３は、高床部２２との境界に沿うように配置されている。【選択図】図１
2014224344.tif 000002
【特許請求の範囲】
【請求項１】
居室と台所とが連続するように隣接した住宅において、
前記居室は、
前記台所の床面と面一な床部と、
前記床部よりも高い床面を有し、前記台所に隣接する位置に設けられた高床部とを備え、
前記台所の作業台は、前記高床部との境界に沿うように配置されていることを特徴とする住宅。
【請求項２】
請求項１記載の住宅において、
前記高床部は、
前記作業台から当該作業台に対向する壁まで延在する第一高床部と、
前記第一高床部から前記作業台に対向する壁に沿って延在する第二高床部とを備えることを特徴とする住宅。
【請求項３】
請求項１又は２記載の住宅において、
前記高床部の床下には、前記床部と面一の床面を有する収納部が設けられており、前記収納部の前記床部側が開放していることを特徴とする住宅。
【請求項４】
請求項３記載の住宅において、
前記収納部内に収納される収納ボックスを備えることを特徴とする住宅。
【請求項５】
請求項１〜４のいずれか一項に記載の住宅において、
前記高床部から上階若しくは下階に繋がる階段を備えることを特徴とする住宅。
【発明の詳細な説明】
【技術分野】
【０００１】
本発明は、住宅に関する。
【背景技術】
【０００２】
近年、住宅においては収納作業の手間を削減するべく、例えば居室などの一部を他の部分よりも高床にし、その高床部の下方の空間に引出部材を収容可能としたものが知られている（例えば特許文献１参照）。
また、高床部においては、その他の部分と比べても相対的に天井の高さが低くなった空間が形成される。天井が低い空間においては落ち着いた雰囲気を醸し出すと言われており、そのような空間は子どもを静的に行動させるのに適している。静的な行動とは、昼寝、読書、勉強などが挙げられる。
【先行技術文献】
【特許文献】
【０００３】
【特許文献１】特開２０１２−３１６７１号公報
【発明の概要】
【発明が解決しようとする課題】
【０００４】
子育てする上では子どもとのコミュニケーションを極力取ることが望まれている。
このため、本発明の課題は子どもとのコミュニケーションの機会を増加させることである。
【課題を解決するための手段】
【０００５】
上記課題を解決するために、請求項１に記載の発明は、例えば図１〜図３に示すように、
居室２と台所３とが連続するように隣接した住宅１において、
前記居室２は、
前記台所３の床面と面一な床部２１と、
前記床部２１よりも高い床面を有し、前記台所３に隣接する位置に設けられた高床部２２とを備え、
前記台所３の作業台３３は、前記高床部２２との境界に沿うように配置されていることを特徴としている。
【０００６】
請求項１記載の発明によれば、台所３の作業台３３が高床部２２との境界に沿っているので、台所３から作業台３３に向かって作業する人は必然的に高床部２２側を向くことになる。このため、作業中においても高床部２２にいる子どもをそのままの姿勢で視認することができ、コミュニケーションの機会が増加されることになる。
【０００７】
請求項２記載の発明は、請求項１記載の住宅において、例えば図１〜図３に示すように、
前記高床部２２は、
前記作業台３３から当該作業台３３に対向する壁１２まで延在する第一高床部２３と、
前記第一高床部２３から前記作業台３３に対向する壁１２に沿って延在する第二高床部２４とを備えることを特徴としている。
【０００８】
請求項２記載の発明によれば、作業台３３に対向する壁１２に沿って第二高床部２４が床部２１側に延在しているので、この第二高床部２４を椅子として使用することができる。したがって、第一高床部２３との統一感を出しつつ、居住性を高めることができる。
【０００９】
請求項３記載の発明は、請求項１又は２記載の住宅において、例えば図１〜図３に示すように、
前記高床部２２の床下には、前記床部２１と面一の床面を有する収納部２６，２７が設けられており、前記収納部２６，２７の前記床部２１側が開放していることを特徴としている。
【００１０】
請求項３記載の発明によれば、高床部２２の床下の収納部２６，２７は床部２１側が開放していて、床部２１と面一の床面を有しているので、高床部２２の床下を収納スペースとして用いるだけでなく、収納作業も容易に行うことが可能である。
【００１１】
請求項４記載の発明は、請求項３記載の住宅において、例えば図４に示すように、
前記収納部２６，２７内に収納される収納ボックス４０を備えることを特徴としている。
【００１２】
請求項４記載の発明によれば、収納部２６，２７内に収納される収納ボックス４０が備えられているので、収納部２６，２７内においても収納ボックス４０を用いた整理整頓の行き届いた収納が可能となる。
【００１３】
請求項５記載の発明は、請求項１〜４のいずれか一項に記載の住宅において、例えば図１，図３に示すように、
前記高床部２２から上階若しくは下階に繋がる階段２５を備えることを特徴としている。
【００１４】
請求項５記載の発明によれば、高床部２２から上階若しくは下階に繋がる階段２５が備えられているので、階段２５を使うときは必ず高床部２２を通過することになる。したがって階段２５の使用時においても高床部２２にいる子どもとコミュニケーションを取る機会が与えられ、コミュニケーションの機会が高まる。
【発明の効果】
【００１５】
本発明によれば、子どもとのコミュニケーションの機会を増加させることができる。
【図面の簡単な説明】
【００１６】
【図１】本実施形態に係る住宅の一階の一部分の間取りを示す上面図である。
【図２】図１における矢印Ａ方向から見た概略図である。
【図３】図１における矢印Ｂ方向から見た概略図である。
【図４】本実施形態に係る収納ボックスの概略構成を示す斜視図である。
【図５】図４の収納ボックスの一部を示す上面図である。
【図６】本実施形態に係る収納ボックスの変形例を示す斜視図である。
【発明を実施するための形態】
【００１７】
以下、図面を参照して本発明の実施の形態について説明する。図１は本実施形態に係る住宅１の一階の一部分の間取りを示す上面図である。図２は図１における矢印Ａ方向から見た概略図である。図３は図１における矢印Ｂ方向から見た概略図である。図１〜図３に示すように住宅１においては、３つの壁１１，１２，１３により囲まれた空間に、居室２と台所３とが連続して隣接するように配置されている。居室２は壁１１，１２，１３にそれぞれ面する位置に配置されており、台所３は壁１２，１３から離れ壁１１に面する位置に配置されている。
【００１８】
台所３には作業台３３が設けられている。ここで作業台３３としては調理作業に使用される流し台、コンロ台、調理台、収納室などをいい、本実施形態においては作業台３３は、水回り設備としての流し台３１及び加熱設備としてのコンロ部３２を備えている。なお、作業台３３としては流し台３１及びコンロ部３２の少なくとも一方を備えていてもよい。また、これ以外の作業台３３としては、水回し設備や加熱設備を備えていない調理台や配膳台などが挙げられる。そして、作業台３３は壁１１から突き出て壁１２に対向するペニンシュラ型キッチンとなっている。
【００１９】
居室２には、台所３の床面と面一に連続する床部２１と、床部２１よりも高い床面を有し、台所３に隣接する位置に設けられた高床部２２とが設けられている。
床部２１は、壁１２，１３に面する位置に配置されている。
【００２０】
高床部２２には、作業台３３の裏面側から、作業台３３から離れる方向（本実施形態では作業台３３が延在する方向と直交する方向）に延び、作業台３３に対向する壁１２まで延在する第一高床部２３と、第一高床部２３から壁１２に沿って延在する第二高床部２４とが設けられている。これにより台所３の作業台３３は、高床部２２との境界に沿うように配置されている。作業台３３の裏面には、第一高床部２３の床面に面一で連続する収納部３３１が形成されている。この収納部３３１の上方には棚板３３２が設置されている。
【００２１】
第一高床部２３と第二高床部２４とは全体として上面視略Ｌ字状に形成されている。
第一高床部２３には、上階へと繋がる階段２５が設けられている。階段２５は、壁１１，１２がなす角部に最下段の廻り階段２５１が配置されており、その廻り階段２５１から壁１１に沿って直線階段２５２が配置されている。直線階段２５２の下の空間には、複数の収容棚２５３が設けられている。
第二高床部２４は、第一高床部２３から壁１３まで延在している。この第二高床部２４の奥行きＨは人が腰をかけられる程度の長さが確保されているため、第二高床部２４を椅子として使用することが可能となっている。第一高床部２３は、第二高床部２４と同じ高さであり、なおかつ第二高床部２４よりも奥行きが長いので、第一高床部２３も椅子として用いることが可能である。このため、第一高床部２３及び第二高床部２４がなす角部近傍には机５が配置されている。
【００２２】
第一高床部２３及び第二高床部２４の床下には、床部２１と面一の床面を有する収納部２６，２７が設けられている。この収納部２６，２７は、床部２１側が開放している。また収納部２６，２７の奥行きは３５０ｍｍ〜４００ｍｍ程度に設定されている。この収納部２６，２７内には複数の収納ボックス４０が収容される。
【００２３】
図４は収納ボックス４０の概略構成を示す斜視図である。図５は収納ボックス４０の一部を示す上面図である。図４及び図５に示すように、収納ボックス４０には、上面を開放させた有底四角柱状の本体部４１と、本体部４１の四隅に取り付けられた４つのコーナー材４２と、隣り合う一対のコーナー材４２によって支持された外装板４３とが備えられている。
【００２４】
本体部４１は例えば段ボール等の紙や、木材、樹脂などによって形成されている。
コーナー材４２には、本体部４１の角に接着されるコーナー本体４２１と、コーナー本体４２１から本体部４１の壁面に沿って延出する延出部４２２とが設けられている。延出部４２２は本体部４１の壁面に対して所定の間隔を空けて設けられている。延出部４２２の内面には外装板４３が接着されており、これにより外装板４３と本体部４１の壁面とに隙間Ｓが形成される。外装板４３は例えばアクリル板などのような透明な板材である。隙間Ｓの下部には底材４４が設けられている。そして隙間Ｓには、例えば紙、布、樹脂などの少なくとも一つからなるシート材が交換自在に収納される。シート材を交換すれば、異なる色や、柄、テキストを収納ボックス４０の一面に表示することができる。テキストを表示すれば収納ボックス４０の用途を直接的に明示することができる。色や柄を用途に対応付けしておけば間接的に収納ボックス４０の用途を明示することができる。また、色や柄を表示する場合においては、インテリア的な印象を切り替えたりすることも可能である。
【００２５】
次に、本実施形態の作用について説明する。
親が台所３で作業していたとしても、作業台３３が居室２との境界に配されているので、居室２にいる子どもは親の視界内に収まることになる。また、階段２５を使う際にも高床部２２を必ず通過せねばならず、この際においても親の視界内に子どもが収まることになる。
【００２６】
また、収納部２６，２７の床面が床部２１と面一であるために子どもでも容易に収納作業を行うことができる。特に、収納部２６は床部２１と高床部２２との境界に設けられているので、床部２１と高床部２２との間を行き来することをきっかけに収納作業を行うことも容易にできる。さらに、上述したように静的な行動には相対的に天井の低い高床部２２が適しており、動的な行動には相対的に天井の高い床部２１が適している。このように、大きく行動パターンの異なる動作に際しては、異なる場所で行動を行うように対応付けしておけば、その移動と片付けとをまとめて行うように習慣づけることも容易である。
【００２７】
以上のように、本実施形態によれば、台所３の作業台３３が高床部２２との境界に沿っているので、台所３から作業台３３に向かって作業する人は必然的に高床部２２側を向くことになる。このため、作業中においても高床部２２にいる子どもをそのままの姿勢で視認することができ、コミュニケーションの機会が増加されることになる。
【００２８】
また、作業台３３に対向する壁１２に沿って第二高床部２４が床部２１側に延在しているので、この第二高床部２４を椅子として使用することができる。したがって、第一高床部２３との統一感を出しつつ、居住性を高めることができる。
また、高床部２２の床下の収納部２６，２７は床部２１側が開放していて、床部２１と面一の床面を有しているので、高床部２２の床下を収納スペースとして用いるだけでなく、収納作業も容易に行うことが可能である。
【００２９】
また、収納部２６，２７内に収納される収納ボックス４０が備えられているので、収納部２６，２７内においても収納ボックス４０を用いた整理整頓の行き届いた収納が可能となる。
また、高床部２２から上階に繋がる階段２５が備えられているので、階段２５を使うときは必ず高床部２２を通過することになる。したがって階段２５の使用時においても高床部２２にいる子どもとコミュニケーションを取る機会が与えられ、コミュニケーションの機会が高まる。
【００３０】
なお、本発明は上記実施形態に限らず適宜変更可能である。
例えば、上記実施形態では、高床部２２から上階に繋がる階段２５が設けられている場合を例示して説明したが、高床部２２から下階に繋がる階段であってもよい。
また、上記実施形態では、作業台３３が壁１１から突き出ている場合を例示して説明したが、作業台３３は高床部２２との境界に沿うように配置されているのであれば壁１１から離れて配置されていてもよい。
【００３１】
また、上記実施形態では、本発明に係る収納ボックスとしてシート材が交換自在な収納ボックス４０を例示して説明したが、収納部２６，２７に設置可能な収納ボックスならば如何なる形態のものでもよい。例えば図６に示すように有底四角柱状の収納ボックス４０ａであってもよい。この収納ボックス４０ａは板材で形成されていて、４つの壁部の上端部には凹形状の把握部４１ａが形成されている。そして４つの壁部の表面にはそれぞれ視覚的に異なる加工がなされている。視覚的に異なる加工とは、表面色や、柄、テキストなどを表面毎に異ならせる加工である。各表面の表示内容と、収納ボックス４０ａの用途とは対応付けされている。収納ボックス４０ａの現在の用途に応じた表面が露出するように、収納ボックス４０ａを収納部２６，２７に収容すれば、一見しただけで収納ボックス４０ａの用途を認識することができる。
【符号の説明】
【００３２】
１      住宅
２      居室
３      台所
５      机
１１，１２，１３      壁
２１      床部
２２      高床部
２３      第一高床部
２４      第二高床部
２５      階段
２６      収納部
２７      収納部
３３      作業台
４０      収納ボックス
【図１】
2014224344.tif 000003
【図２】
2014224344.tif 000004
【図３】
2014224344.tif 000005
【図４】
2014224344.tif 000006
【図５】
2014224344.tif 000007
【図６】
2014224344.tif 000008